(57)【要約】【課題】  接眼式ファインダを覗いた時など、表示が見えない場合でも、タッチ機能をこまかに操作することを可能にしたカメラを提供すること。【解決手段】  上記目的を達成するために、本発明は、接触することにより入力手段（タッチ機能）となる表示手段、表示手段表面に貼る凹凸付きのシート、前述タッチ機能付き表示手段のタッチ機能検出範囲と検出内容の切り替え及び表示等機器の制御を行う制御手段、前述タッチ付き表示手段の検出領域と内容の切り替え入力手段を有し、前述切り替え入力手段に応じて制御手段はタッチ機能付き表示手段の全画面による表示と入力と、前述凹凸付きシーに対応した検出領域と検出内容に切替えることを特徴とする表示手段を有することを特徴とする構成とした。【選択図】  図１
2013105356.tif 000002
【特許請求の範囲】
【請求項１】
接触することにより入力手段（タッチ機能）となる表示手段（１２０、１０２）、表示手段表面に貼る凹凸付きのシート（２００、３００、４００）、前述タッチ機能付き表示手段（１２０、１０２）のタッチ機能検出範囲と検出内容の切り替え及び表示機器の制御を行う制御手段（１０１）、前述タッチ付き表示手段（１２０、１０２）の検出領域と内容の切り替え入力手段（１１０、２１１１）を有し、
前述切り替え入力手段（１１０、２１１１）に応じて制御手段（１０１）はタッチ機能付き表示手段の全画面による表示と入力と、前述凹凸付きシート（２００、３００、４００）に対応した検出領域と検出内容に切替えることを特徴とする表示手段を有する機器。
【請求項２】
凹凸付きのシート（２００、３００、４００）は透明であることを特徴とする請求項１に記載の表示手段を有する機器。
【請求項３】
前述凹凸付きシート（２００、３００、４００）に対応した検出領域と検出内容に切替えた場合は、表示手段（１０２）の表示を消すことを特徴とする請求項１に記載の表示手段を有する機器。
【請求項４】
前述凹凸付きシート（２００、３００、４００）に対応した検出領域と検出内容に切替えた場合は、表示手段（１０２）の表示も凹凸付きシート（２００、３００、４００）に対応した表示に切替えることを特徴とする請求項１に記載の表示手段を有する機器。
【請求項５】
凹凸付きのシート（２００、３００、４００）は位置検出部材及び種類検出部材（２０２ａ〜ｆ、３０２ａ〜ｆ、４０２ａ〜ｆ）を有し、機器は凹凸付シートの位置検出と種類を検出する手段（１２１ａ〜ｆ、１２２ａ〜ｆ）を有し、制御手段（１０１）は前述凹凸付シート（２００、３００、４００）の位置と種類に応じた検出内容に切替えることを特徴とする請求項１に記載の表示手段を有する機器。
【請求項６】
凹凸付きのシート（２００、３００、４００）は位置検出部材及び種類検出を設定する手段を有し、制御手段（１０１）は設定された前述凹凸付シート（２００、３００、４００）の位置と種類に応じた検出内容に切替えることを特徴とする請求項１に記載の表示手段を有する機器。
【請求項７】
接眼式のファインダ（１００１）と、接眼を検出する手段（１１０）を有するカメラ（１０００）であって、前述切り替え入力手段（１１０）は接眼を検出する手段（１１０）であることを特徴とする請求項１に記載の表示手段を有する機器。
【発明の詳細な説明】
【技術分野】
【０００１】
本発明は、接触することにより入力手段（タッチ機能）となる表示手段を有する機器に関し、特にタッチ機能付き表示手段表面に凹凸付きのシートを貼った場合の処理に関するものである。
【背景技術】
【０００２】
従来、タッチ機能付き表示手段を有する機器において、表示手段のタッチ機能の使用可能領域を制限していた。
【０００３】
例えば、特許文献１では、接眼式ファインダを有するカメラにおいて、接眼が検出されると、タッチ機能付き表示手段の一部のみタッチ機能を有効にする例が開示されている。
【先行技術文献】
【特許文献】
【０００４】
【特許文献１】特開２００９−２６０６８１号公報
【発明の概要】
【発明が解決しようとする課題】
【０００５】
しかしながら、上述の特許文献に開示された従来技術では、接眼式ファインダを覗いた時には、表示手段を見ることができず、タッチ機能も縦方向又は、横方向の様に大まか動きしか操作できないという課題が残ってしまう。
【０００６】
そこで、本発明の目的は、接眼式ファインダを覗いた時など、表示が見えない場合でも、タッチ機能をこまかに操作することを可能にした機器及び、カメラを提供することである。
【課題を解決するための手段】
【０００７】
上記目的を達成するために、本発明は、
接触することにより入力手段（タッチ機能）となる表示手段、表示手段表面に貼る凹凸付きのシート、前述タッチ機能付き表示手段のタッチ機能検出範囲と検出内容の切り替え及び表示内容等、機器の制御を行う制御手段、前述タッチ付き表示手段の検出領域と内容の切り替え入力手段を有し、
前述切り替え入力手段に応じて制御手段はタッチ機能付き表示手段の全画面による表示と入力と、前述凹凸付きシーに対応した検出領域と検出内容に切替えることを特徴とする表示手段を有することを特徴とする。
【発明の効果】
【０００８】
本発明によれば接眼式ファインダを覗いた時など、表示が見えない場合でも、タッチ機能をこまかに操作することを可能にした機器及びカメラを提供することができる。
【図面の簡単な説明】
【０００９】
【図１】本発明における第1の実施形態の構成を表すブロック図である。
【図２】本発明における第１、及び第２の実施形態の凹凸付シートの形状を示す図である。
【図３】本発明における第１、及び第２の実施形態の凹凸付シートの形状を示す図である。
【図４】本発明における第１、及び第２の実施形態の凹凸付シートの形状を示す図である。
【図５】本発明における第１、及び第２の実施形態の表示手段、タッチ検出手段、凹凸付シートの構成、表示内容を示す図である。
【図６】本発明における第１の実施形態の制御手段の動作を示すフローチャートである。
【図７】本発明における第２の実施形態の制御手段の動作を示すフローチャートである。
【図８】本発明における第１、及び第２の実施形態におけるカメラと撮影者の位置関係を示す図である。
【図９】本発明における第１の実施形態における構成を表すブロック図である。
【発明を実施するための形態】
【００１０】
以下に、本発明の好ましい実施の形態を、添付の図面に基づいて詳細に説明する。図１は、本発明の実施形態にかかわるタッチ機能付き表示手段を含むカメラの回路構成を表すブロック図である。
【００１１】
［実施例１］
以下、図１を参照して、本発明の第1の実施例による、タッチ機能付き表示手段を含むカメラの回路構成について説明する。
【００１２】
１０１はカメラの各部を制御する制御手段、１０２はカメラの背面に配置され、制御手段１０１に接続されカメラの操作メニューや撮影画像を表示するＴＦＴ液晶等で構成される表示手段、１２０は表示手段１０２の表面に配置され撮影者の接触を検知するタッチ検出手段、タッチ検出手段１２０は制御手段１０１に接続され接触位置等の情報を制御手段１０１に伝える。
【００１３】
１２１ａ、ｂ、ｃ、ｄ、ｅ、ｆはタッチ検出手段１２０の表面右側に後述の透明な凹凸付シートが装着された場合に、凹凸付シートの位置及び種類を検出する検出手段であり、制御手段１０１に接続される。
【００１４】
１２２ａ、ｂ、ｃ、ｄ、ｅ、ｆはタッチ検出手段１２０の表面左側に後述の透明な凹凸付シートが装着された場合に、凹凸付シートの位置及び種類を検出する検出手段であり、制御手段１０１に接続される。
【００１５】
凹凸付シート検出手段１２１ａ〜ｆ及び、１２２ａ〜ｆは光学、電気的、磁気的、又は機械的に検出する方法いずれであっても構わない、また左右に１対ずつ配置されているが、位置を増やしても構わない。更にタッチ検出手段自体に凹凸付シート検出手段が含まれる構成であっても構わない。
【００１６】
１１０はカメラの接眼ファインダを撮影者が覗いたことを検出する既存の接眼検出手段で、制御手段１０１に接続される。
【００１７】
次に前述したタッチ検出手段１２０の表面に装着する透明な凹凸付シートについて図２、３、４に基づいて説明する。
【００１８】
図２は十字の形をした凹凸（２０１）がある透明なシート（２００）である。図２（ａ）がシート２００をカメラ背面から見た図であり、図２（ｂ）がシート２００をカメラの上面（シート２００上部）から見た図、図２（ｃ）がシート２００をカメラの下面（シート２００の下面）から見た図、図２（ｄ）がシート２００をカメラ背面から見て右側から（シート２００の右側から）見た図である。
【００１９】
図２（ａ）〜（ｄ）においてシート２００と十字の形をした凹凸２０１の関係を示している。
【００２０】
２０２ａ〜ｆはシート２００の位置及び種類の判別部であり、２０２ａ、ｂ、ｃは図１の凹凸付シート検出部１２１ａ、ｂ、ｃ又は１２２ａ、ｂ、ｃと接続され、２０２ｄ、ｅ、ｆは図１の凹凸付シート検出部１２１ｄ、ｅ、ｆ又は１２２ｄ、ｅ、ｆと接続され、凹凸付シートの位置及び種類を検出される位置及び種類が判別される。
【００２１】
２０２ａ、ｄは凹凸付シートの位置判別部であり、電気的検出の場合は導通部材で構成される。（以後電気的導通、非導通の場合の例で説明する。図１の検出部１２１、１２２が光学検出であれば、透過、非透過又は反射、非反射等に置き換えられる。）。
【００２２】
凹凸付シートの上下に配置することによりシートの斜めでなく真っ直ぐに張られていることを検出することができる。
【００２３】
また。２０２ｂ、ｃ、ｅ、ｆにより凹凸付シートの種類を表している。図２の十字型
凹凸のシート２００では２０２ｃは導通部で構成され、２０２ｂ、ｅ、ｆは非導通で構成される。
【００２４】
図２の様にシートの位置及び種類判別部をシート２００の左側に配置することにより上下逆さに装着されることの防止、逆さに装着された場合の誤動作の防止を実現することが可能となる。
【００２５】
図３は丸いダイヤルの形をした凹凸（３０１）がある透明なシート（３００）である。図３（ａ）がシート３００をカメラ背面から見た図であり、図３（ｂ）がシート３００をカメラの上面（シート３００上部）から見た図、図３（ｃ）がシート３００をカメラの下面（シート３００の下面）から見た図、図３（ｄ）がシート３００をカメラ背面から見て右側から（シート３００の右側から）見た図である。
【００２６】
図３（ａ）〜（ｄ）においてシート３００とダイヤルの形をした凹凸３０１の関係を示している。
【００２７】
３０２ａ〜ｆはシート３００の位置及び種類の判別部であり、３０２ａ、ｂ、ｃは図１の凹凸付シート検出部１２１ａ、ｂ、ｃ又は１２２ａ、ｂ、ｃと接続され、３０２ｄ、ｅ、ｆは図１の凹凸付シート検出部１２１ｄ、ｅ、ｆ又は１２２ｄ、ｅ、ｆと接続され、凹凸付シートの位置及び種類を検出される位置及び種類が判別される。
【００２８】
３０２ａ、ｄは凹凸付シートの位置判別部であり、導通部材で構成される。また、３０２ｂ、ｃ、ｅ、ｆにより凹凸付シートの種類を表している。図３のダイヤル型凹凸のシート３００では３０２ｆが導通部で構成され、３０２ｂ、ｃ、ｅは非導通で構成される。
【００２９】
図４はカメラの接眼ファインダの枠とオートフォーカス（以後ＡＦ）の測距位置の関係を表した凹凸（４０１）がある透明なシート（４００）である。
【００３０】
接眼ファインダの枠とＡＦの測距位置の関係を表した凹凸４０１の内、４０１ａの凹凸が接眼ファインダの枠を４０１ｂ〜ｈの凹凸が各ＡＦ測距点を示している。
【００３１】
図４（ａ）がシート４００をカメラ背面から見た図であり、図４（ｂ）がシート４００をカメラの上面（シート４００上部）から見た図、図４（ｃ）がシート４００をカメラの下面（シート４００の下面）から見た図、図４（ｄ）がシート４００をカメラ背面から見て右側から（シート４００の右側から）見た図である。
【００３２】
図４（ａ）〜（ｄ）においてシート４００と接眼ファインダの枠とＡＦの測距位置の関係を表した凹凸４０１の関係を示している。
【００３３】
４０２ａ〜ｆはシート４００の位置及び種類の判別部であり、４０２ａ、ｂ、ｃは図１の凹凸付シート検出部１２１ａ、ｂ、ｃ又は１２２ａ、ｂ、ｃと接続され、４０２ｄ、ｅ、ｆは図１の凹凸付シート検出部１２１ｄ、ｅ、ｆ又は１２２ｄ、ｅ、ｆと接続され、凹凸付シートの位置及び種類を検出される位置及び種類が判別される。
【００３４】
４０２ａ、ｄは凹凸付シートの位置判別部であり、導通部材で構成される。また。４０２ｂ、ｃ、ｅ、ｆにより凹凸付シートの種類を表している。図４の接眼ファインダの枠とＡＦの測距位置の関係を表した凹凸のシート４００では４０２ｃ、ｆは導通部で構成され、４０２ｂ、ｅは非導通で構成される。
【００３５】
図８（ａ）、（ｂ）はカメラ（１０００）と撮影者（１０１０）の位置関係をカメラ背面から見た状態を示す図である。
【００３６】
前述の様にカメラ１０００の背面に表示手段１０２があり、その表面にタッチ検出手段１２０が配置されている。１００１がカメラの接眼ファインダであり、接眼ファインダ１００１近くに既存の接眼検出手段１１０が配置されている。
【００３７】
図８（ａ）は撮影者１０１０が右目１０１１で接眼ファインダ１００１を覗いている図である。この場合、撮影者１０１０の鼻１０１３と口１０１４はタッチ検出手段１２０の左部分に接触するので、タッチ検出手段１２０の左側はタッチ検出を無効にする必要がある。その為、十字型の凹凸付シート２００はタッチ検出手段１２０の右側に装着されている。
【００３８】
図８（ｂ）は撮影者１０１０の左目１０１２で接眼ファインダ１００１を覗いている図である。この場合撮影者１０１０の鼻１０１３と口１０１４はタッチ検出手段１２０の右部分に接触するので、タッチ検出手段１２０の右側はタッチ検出を無効にする必要がある。その為、十字型の凹凸付シート２００はタッチ検出手段１２０の左側に装着されている。
【００３９】
図６はカメラの制御手段１０１の動作示すフローチャートであり、以下説明する。
【００４０】
Ｓ８０１で制御手段１０１の動作をスタート。Ｓ８０２では接眼検出手段１１０が接眼を検出している状態かを判別し、接眼状態でなければＳ８０３へ進み、接眼であればＳ８１０に進む。
【００４１】
Ｓ８０３では通常のメニュー表示又は、画像の再生表示を行う。Ｓ８０４ではＳ８０３の表示内容に応じたタッチ検出手段１２０の制御を行い、Ｓ８０２に進む。Ｓ８０３とＳ８０４の表示及び動作の詳細は後述の図５を用いて説明で行う。
【００４２】
Ｓ８１０では凹凸付シートの位置検出手段１２１ａ、ｄと１２２ａ、ｄの検出状態より凹凸付シートが装着されていなければＳ８１１に進み、装着されていればＳ８２０に進む。
【００４３】
Ｓ８１１では表示手段１０２の表示をオフする。Ｓ８１２ではタッチ検出手段１２０の検出をオフしてＳ８０２に進む。
【００４４】
Ｓ８２０では凹凸付シートの位置及び種類の検出手段１２１ａ、ｂ、ｃ、ｄ、ｅ、ｆと１２２ａ、ｂ、ｃ、ｄ、ｅ、ｆの検出状態より表示手段１０２の表示を行うか、非表示とし、Ｓ８２１では凹凸付シートの種類に応じたタッチ検出手段１２０の検出を行い、Ｓ８０２に進む。Ｓ８２０とＳ８２１の表示及び動作の詳細は後述の図５を用いて説明で行う。
【００４５】
次に図５より本発明の表示手段１０２とタッチ検出手段１２０の動作を説明する。
【００４６】
図５（ａ）、（ｂ）はタッチ検出手段に透明な凹凸付シートを装着していない場合の表示手段１０２とタッチ検出手段１２０の動作を説明する図であり、図５（ｃ）〜（ｍ）は図３の十字型の凹凸付シート３００が装着された場合の表示手段１０２とタッチ検出手段１２０の動作を説明する図である。以下に詳細を説明する。
【００４７】
図５（ａ）は表示部１０２及びタッチ検出手段１２０をカメラ背面から見た図であり、図５（ｂ）は図５（ａ）をカメラ背面から見て右側から見た図である。図５（ｂ）より表示部１０２の表面にタッチ検出手段１２０が配置されていることを示している。
【００４８】
図５（ａ）にて表示手段１０２はカメラの操作メニュー表示を表示している状態であり、５０１〜５０４がメニューの頁を選択する枠及び枠内に内容を表示しており、５０６〜５０９が選択された頁にて選択可能な枠及び枠内に操作内容が表示されている。タッチ検出手段１２０は表示手段１０２が表示したメニュー頁選択枠５０１〜５０４、及び選択可能なメニュー枠５０５〜５０９の位置に応じた入力と内容を受け付け可能な様に制御手段１０１はタッチ検出手段１２０を制御する（図６のＳ８０３、８０４の動作）。
【００４９】
図５（ｃ）は表示部１０２及びタッチ検出手段１２０をカメラ背面から見た図であり、タッチ検出手段左側に図３の十字型の凹凸付シート２００が装着されている。図５（ｄ）は図５（ｃ）をカメラ背面から見て右側から見た図である。図５（ｄ）より表示部１０２の表面にタッチ検出手段１２０が配置されて、タッチ検出手段１２０の表面に図３の十字型の凹凸付シート２００が装着されていることを示している。
【００５０】
図５（ｃ）にて表示手段１０２は図５（ａ）と同じカメラの操作メニュー表示を表示している状態及である。十字型の凹凸付シート２００は透明であり、表示手段１０２の表示は図５（ａ）と同様に見えている。また、タッチ検出手段１２０の動作も図５（ａ）と同様に表示手段１０２が表示したメニュー頁選択枠５０１〜５０４、及び選択可能なメニュー枠５０５〜５０９の位置に応じた入力と内容を受け付け可能な様に制御手段１０１はタッチ検出手段１２０を制御する（図６のＳ８０３、８０４の動作）。
【００５１】
図５（ｅ）及び、図５（ｆ）はタッチ検出手段右側に図３の十字型の凹凸付シート２００が装着されている状態を示している。図５（ｆ）は図５（ｅ）をカメラ背面から見て右側から見た図である。図５（ｆ）より表示部１０２の表面にタッチ検出手段１２０が配置されて、タッチ検出手段１２０の表面に図３の十字型の凹凸付シート２００が装着されていることを示している。
【００５２】
図５（ｅ）にて表示手段１０２は図５（ａ）と同じカメラの操作メニュー表示を表示している状態及である。十字型の凹凸付シート２００は透明であり、表示手段１０２の表示は図５（ａ）と同様に見えている。また、タッチ検出手段１２０の動作も図５（ａ）と同様に表示手段１０２が表示したメニュー頁選択枠５０１〜５０４、及び選択可能なメニュー枠５０５〜５０９の位置に応じた入力と内容を受け付け可能な様に制御手段１０１はタッチ検出手段１２０を制御する（図６のＳ８０３，８０４の動作）（図６のＳ８２０，８２１の動作）。
【００５３】
図５（ｇ）及び図５（ｉ）は、図５（ｃ）、５（ｅ）と同様に十字型の凹凸付シート２００がタッチ検出手段の左右に装着され、かつファインダの接眼検出手段１１０が接眼を検出した場合の表示手段１０２表示及び、タッチ検出手段１２０の動作を表している（図６のＳ８２０，８２１の動作）。
【００５４】
図５（ｇ）及び図５（ｉ）は表示手段１０２の表示がオフされている（図６のＳ８２０の動作）。
【００５５】
図５（ｇ）においては、タッチ検出手段１２０左側に装着されたシート十字型の凹凸付シート２００上にある十字型の凹凸部２０１の部分だけタッチ機能を有効にし、十字型の凹凸の上下、左右がタッチされたことを制御手段１０１が検出することにより、十字型の凹凸が十字型のキースイッチの様に動作をさせることが可能となる（図６のＳ８２１の動作）。
【００５６】
また図５（ｉ）においてはタッチ検出手段１２０右側に装着されたシート十字型の凹凸付シート２００上にある十字型の凹凸部２０１の部分だけタッチ機能を有効にし、十字型の凹凸の上下、左右がタッチされたことを制御手段１０１が検出することにより、十字型の凹凸が十字型のキースイッチの様に動作をさせることが可能となる（図６のＳ８２１の動作）。
【００５７】
また、タッチ検出手段１２０の表面に図３の丸いダイヤルの形をした凹凸３０１がある透明なシート（３００）が装着された場合に制御手段１０１は、丸いダイヤルの形をした凹凸３０１部分だけタッチ検出手段１２０を有効にする。そして、タッチ入力に応じてダイヤル操作と同等の動作を制御手段１０１は実行する（図６のＳ８２１の動作）。
【００５８】
更にタッチ検出手段１２０の表面に図４はカメラの接眼ファインダの枠とオートフォーカス（以後ＡＦ）の測距位置の関係を表した凹凸４０１がある透明なシート４００が装着された場合に制御手段１０１は、各ＡＦ測距点を示している凹凸部４０１ｂ〜ｈのだけをタッチ機能を有効にする。そして、凹凸部４０１ｂ〜ｈに応じた測距点を選択する動作を制御手段１０１は実行する（図６のＳ８２１の動作）。
【００５９】
図５（ｈ）及び、図５（ｊ）は図５（ｇ）及び、図５（ｉ）をカメラ１０００の背面右側から見た図である（図６のＳ８２０，８２１の動作  Ｓ８２０にて凹凸付シートに連動して表示する場合）。
【００６０】
図５（ｋ）及び、図５（ｍ）は、図５（ｃ）、５（ｅ）と同様に十字型の凹凸付シート２００がタッチ検出手段１２０の左右に装着され、かつファインダの接眼検出手段１１０が接眼を検出した場合の表示手段１０２表示及び、タッチ検出手段１２０の動作を表している（図６のＳ８２０，８２１の動作）。
【００６１】
図５（ｋ）及び図５（ｍ）では、表示手段１０２の表示が凹凸付シートの位置及び種類の検出手段１２１ａ、ｂ、ｃ、ｄ、ｅ、ｆと１２２ａ、ｂ、ｃ、ｄ、ｅ、ｆの検出状態より表示手段１０２の表示を行う（図６のＳ８２０の動作）。つまり、図５（ｋ）では表示手段１０２左側の十字の凹凸２０１位置に十字の表示を行い、図５（ｍ）では表示手段１０２右側の十字の凹凸２０１位置に十字の表示を行っている。タッチ検出手段１２０の動作としては図５（ｇ）及び、図５（ｉ）同様に、タッチ検出手段１２０左右側に装着されたシート十字型の凹凸付シート２００上にある十字型の凹凸部２０１の部分だけタッチ機能を有効にし、十字型の凹凸の上下、左右がタッチされたことを制御手段１０１が検出することにより、十字型の凹凸が十字型のキースイッチの様に動作をさせることが可能となる（図６のＳ８２１の動作）。
【００６２】
図５（ｌ）及び、図５（ｎ）は図５（ｋ）及び、図５（ｍ）をカメラの背面右側から見た図である。
【００６３】
上記構成により、接眼式ファインダを覗いた時など、表示が見えない場合でも、タッチ機能をこまかに操作することが可能になる。
【００６４】
また、透明な凹凸付シートをタッチ検出手段１２０に装着するので、メニュー表示や撮影画像表示時は凹凸付シート未装着時と同様見ることができる。
【００６５】
更に、凹凸付シートの装着を検出するので、未装着時の誤動作も防止が可能となる。
【００６６】
本実施例では凹凸付きのシート（２００、３００、４００）に位置検出部材及び種類検出部材（２０２ａ〜ｆ、３０２ａ〜ｆ、４０２ａ〜ｆ）を有し、カメラ側には凹凸付シートの位置検出と種類を検出する手段（１２１ａ〜ｆ、１２２ａ〜ｆ）を有しているが、前述検出部材及び、検出手段が無い構成であっても構わない。この場合は、図６のＳ８０２では接眼検出手段１１０が接眼を検出している状態を判別したら、不図示の入力手段より入力された。凹凸付きのシート（２００、３００、４００）の種類及び、位置で制御手段１０１は凹凸シートに対応した表示及び、検出動作を行う。
【００６７】
以上、本発明の好ましい実施形態について説明したが、本発明はこれらの実施形態に限定されず、その要旨の範囲内で種々の変形及び変更が可能である。
【００６８】
［実施例２］
以下、図９を参照して、本発明の第２の実施例による、タッチ機能付き表示手段を含むカメラの回路構成について説明する。
【００６９】
カメラの回路構成の内、制御手段２１０１は、第１の実施例の図１の１０１に対応し、表示手段２１０２は、図１の１０２に対応し、タッチ検出手段２１２０は、図１の１２０に対応し、凹凸付シートの位置及び種類を検出する検出手段２１２１ａ、ｂ、ｃ、ｄ、ｅ、ｆは、図１の１２１ａ、ｂ、ｃ、ｄ、ｅ、ｆに対応し、凹凸付シートの位置及び種類を検出する検出手段２１２２ａ、ｂ、ｃ、ｄ、ｅ、ｆは、図１の１２２ａ、ｂ、ｃ、ｄ、ｅ、ｆに対応する。
【００７０】
図１との差異を以下に説明する。タッチ検出手段２１２０の入力をメニュー表示や撮影画像表示時に対応するか、タッチ検出手段２１２０に装着された透明な凹凸付シートの凹凸に対応するかの切替え手段（２１１１）が制御手段２１０１に接続される。
【００７１】
また、前述のタッチ検出手段２１２０の表面に装着する透明な凹凸付シートについても、第１の実施例の図２、３、４と同じであり説明は省略する。
【００７２】
図７はカメラの制御手段２１０１の動作示すフローチャートであり、以下説明する。
【００７３】
Ｓ９０１で制御手段２１０１の動作をスタート。Ｓ９０２ではタッチ切替え手段２１１１がメニュー表示や撮影画像表示時に対応するか、凹凸付シートの凹凸に対応するかの状態を判定し、メニュー表示や撮影画像表示時に対応すればＳ９０３に進み、凹凸付シートに対応すれＳ９１０に進む。
【００７４】
以後のＳ９１０〜Ｓ９１２の処理は第１の実施例図６のフローチャートのＳ８１０〜Ｓ８１２と同じであり、Ｓ９２０〜Ｓ９２１の処理は第１の実施例図６のフローチャートのＳ８２０〜Ｓ８２１と同じであるので説明は省略する。
【００７５】
Ｓ８１０〜Ｓ８１２及びＳ９２０〜Ｓ９２１における、表示手段２１０２とタッチ検出手段２１２０の動作の詳細は第１の実施例の図５と同じであるので説明は省略する
上記構成により、タッチ検出手段２１２０の入力をメニュー表示や撮影画像表示時に対応するか、タッチ検出手段２１２０に装着された透明な凹凸付シートの凹凸に対応するかを使用者が任意に切り換えること可能となる。
【００７６】
タッチ機能を凹凸付シートに対応させた場合、接眼式ファインダを覗いた時など、表示が見えない場合でもタッチ機能をこまかに操作することが可能になる。
【００７７】
また、透明な凹凸付シートをタッチ検出手段２１２０に装着するので、メニュー表示や撮影画像表示時は凹凸付シート未装着時と同様見ることができる。
【００７８】
更に、凹凸付シートの装着を検出するので、未装着時の誤動作も防止が可能となる。
【００７９】
なお、制御手段１００の制御は１つのハードウェアが行ってもよいし、複数のハードウェアが処理を分担することで、装置全体の制御を行ってもよい。
【００８０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８１】
また、上述した実施形態においては、本発明を撮像装置に適用した場合を例にして説明したが、これはこの例に限定されずタッチ入力可能な表示制御装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。特に、携帯電話端末には、ディスプレイ近傍に備えられた通話時の受話スピーカに対する通話者の耳（頭部）が接近したことを検知する接近検知手段が備えられていることがある。この接近検知手段を、本願の接眼検出手段１１０と同様に利用して本願を適用しても良い。
【００８２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８３】
１００  制御手段
１０２  表示手段
１１０  接眼検出手段
１２０  タッチ検出手段
１２１ａ、ｂ、ｃ、ｄ、ｅ、ｆ  凹凸付シートの位置及び種類を検出する検出手段
１２２ａ、ｂ、ｃ、ｄ、ｅ、ｆ  凹凸付シートの位置及び種類を検出する検出手段
２００十字の形をした凹凸２０１がある透明なシート
２０２ａ、ｂ、ｃ、ｄ、ｅ、ｆ    シート２００の位置及び種類の判別部
３００丸いダイヤルの形をした凹凸３０１がある透明なシート
３０２ａ、ｂ、ｃ、ｄ、ｅ、ｆ    シート３００の位置及び種類の判別部
４００カメラの接眼ファインダの枠とオートフォーカス（以後ＡＦ）の測距位置の関係を表した凹凸４０１がある透明なシート
４０２ａ、ｂ、ｃ、ｄ、ｅ、ｆ    シート４００の位置及び種類の判別部
１０００  カメラ
【図１】
2013105356.tif 000003
【図２】
2013105356.tif 000004
【図３】
2013105356.tif 000005
【図４】
2013105356.tif 000006
【図５】
2013105356.tif 000007
【図６】
2013105356.tif 000008
【図７】
2013105356.tif 000009
【図８】
2013105356.tif 000010
【図９】
2013105356.tif 000011